(57)【特許請求の範囲】
【請求項１】
金属板からなるヒータカバーを下側に取り付ける合成樹脂製の蓋リング部材と、この蓋リング部材の上方に被さる上蓋部材と、前記蓋リング部材の上側に添え付ける補強板とを備え、前記補強板に、前記蓋リング部材の上面を部分的に露出させる空所を形成し、前記蓋リング部材に設けた調圧弁設置室を前記補強板の前記空所から上側に突き出し、前記調圧弁設置室と前記ヒータカバーの連通路を密封するパッキンを、該ヒータカバーと前記蓋リング部材との間に介在させた圧力式炊飯ジャーにおいて、前記上蓋部材のうち、前記補強板の前記空所の上方に位置する下端と、前記蓋リング部材のうち、前記補強板の前記空所から露出する上端部分とに、室温（２０℃）下で組み立てるときに上下に非接触の関係に設定され、かつ加圧炊飯状態でのみ当該上端部分の上側変位によって上下に接するように押し合い部を設け、
最大加圧炊飯状態で前記上蓋部材の押し合い部が前記蓋リング部材の押し合い部の上側変位に抵抗することにより、前記パッキンが前記蓋リング部材に接触する部分の上昇を軽減したことを特徴とする圧力式炊飯ジャー。
【請求項２】
前記上蓋部材に、前記ヒータカバーに空いた蒸気路開口に連通する蒸気口部を一体に設け、前記上蓋部材の前記押し合い部を、前記蒸気口部の周側下端に形成した請求項１に記載の圧力式炊飯ジャー。
【請求項３】
前記蓋リング部材に、前記蒸気路開口と上下に連通する貫通孔を形成し、前記補強板の前記空所を、前記貫通孔と上下に連通するように形成し、前記蓋リング部材のうち前記貫通孔と前記調圧弁設置室の間にある壁面に、該蓋リング部材の前記押し合い部を形成し、前記蒸気口部の下端に形成したねじ孔部と前記ヒータカバーとをねじ止めした請求項２に記載の圧力式炊飯ジャー。
【発明の詳細な説明】
【技術分野】
【０００１】
この発明は、炊飯鍋内の圧力を蓋に設けた調圧弁で制御可能な圧力式炊飯ジャーに関する。
【背景技術】
【０００２】
この種の圧力式炊飯ジャーは、炊飯工程の途中で炊飯鍋内の圧力を大気圧より高くした加圧状態を生じさせ（この状態を加圧炊飯状態という）、その圧力を調圧弁により所定の値に制御することが可能になっている。従来、この種の圧力式炊飯ジャーの蓋としては、金属板からなるヒータカバーを下側に取り付ける合成樹脂製の蓋リング部材と、この蓋リング部材の上方に被さる上蓋部材と、蓋リング部材の上側に添え付けた補強板とを備えたものが採用されている（例えば、特許文献１）。
【０００３】
上蓋部材、蓋リング部材は、一般に、合成樹脂の一体射出成形品とされている。上蓋部材と蓋リング部材とを結合することにより蓋の内部空間が形成されている。その内部空間は、調圧弁、センサ、蓋開閉操作機構等の各種の機器の設置に利用されている。
【０００４】
加圧炊飯状態における負荷は、日々の繰り返しにより、蓋リング部材の経年変化に影響を及ぼし、この部材に前後左右に反り変形を生じさせる原因となる。上蓋部材や蓋リング部材にリブを形成することにより、反り変形に対する剛性を高めることに限界がある。このため、補強板を蓋リング部材の上側に添え付けることにより、蓋リング部材の剛性を高め、ひいては上蓋部材の反り変形が防止されている。
【０００５】
ヒータカバーは、電気ヒータが上端に添え付けられており、蓋リング部材にねじ止めされている。また、ヒータカバーは、蓋リング部材の貫通孔を通じて上蓋部材にねじ止めされることもある（例えば、特許文献２）。
【０００６】
保温時には、電気ヒータで加熱されたヒータカバーからの放熱により、炊飯鍋内が加熱される。
【０００７】
調圧弁は、炊飯鍋内に弁孔が連通しており、調圧弁設置室内に収まっている。調圧弁設置室の室壁は、適宜に蓋リング部材と一体に設けられたり、蓋リング部材に別部材を取り付けたりすることで設けられている。
【０００８】
また、調圧弁設置室は、炊飯鍋内から外部まで通された蒸気路の一部を構成している。調圧弁が開弁状態では、炊飯鍋内で発生した蒸気が蒸気路を経て大気に開放される。調圧弁設置室内にある弁体は、室外に設置された弁体駆動装置により開閉状態の制御が行なわれるようになっている。
【０００９】
補強板には、調圧弁設置室の室内空間を設けるため、蓋リング部材の上面を部分的に露出させる空所が形成されており、その空所から調圧弁設置室が上側に突き出している。なお、補強板の空所は、上記各種の機器の取り付け、蒸気路の接続等のためにも形成されることがある。
【００１０】
前記調圧弁設置室と前記ヒータカバーの連通路は、該ヒータカバーと蓋リング部材との間に介在させたパッキンで密封されている。パッキンには、その介在すきまにそのシール面を相手側のシール面に押し付けるための圧縮代を設定することによりシール効果を発揮するものが採用されている。
【００１１】
炊飯鍋内が大気圧に対して高圧になる加圧炊飯状態では、ロックされた蓋全体が内圧で上側に押される。蓋リング部材のうち、補強板の空所から露出する部分は、補強効果が弱いため、上側に膨らむ変形を特に生じる。このとき、金属板からなるヒータカバーは、蓋リング部材より剛性が低く、その板面は蓋リング部材より大きく上側に膨らむ。このため、パッキンが介在するすきまが拡大する心配はない。
【００１２】
ところが、日々の加圧炊飯の繰り返しの結果、合成樹脂製の蓋リング部材には、上側に膨らむ変形歪が徐々に蓄積される。金属板からなるヒータカバーは、歪蓄積がかなり少ない。すなわち、蓋リング部材のうち、補強板の空所から露出する部分は、徐々にヒータカバーから上方に遠ざかることになり、その結果、パッキンが介在するすきまが拡大し、シール不良を招く恐れがある。
【００１３】
このため、従来は、上記ヒータカバーと蓋リング部材のねじ止め箇所が、蓋リング部材のうち補強板の空所から露出する部分の下方に設けられている。このねじ締結により、蓋リング部材の露出部分の歪蓄積が進行しても、ヒータカバーが共に引っ張られて追随変形するため、パッキンが介在するすきまの拡大が抑制される。
【特許文献１】特開２００２−４４５号公報
【特許文献２】特開２００６−８７７９０号公報
【発明の開示】
【発明が解決しようとする課題】
【００１４】
しかしながら、蓋リング部材とヒータカバーをねじ止めすると、その分、ヒータカバーに孔が生じ、内蓋に対する放熱面が減少する。保温性能を考えると、ヒータカバーの放熱面の面積は大きい方がよい。
【００１５】
上記の事情に鑑み、この発明の課題は、補強板の空所から露出する蓋リング部材の部分が上側に膨らむ歪蓄積によりパッキンのシール不良が生じることをヒータカバーにねじ止め用の孔を増やすこと無く防止すると共に、保温性能を向上させることである。
【課題を解決するための手段】
【００１６】
前記課題を解決するこの発明は、金属板からなるヒータカバーを下側に取り付ける合成樹脂製の蓋リング部材と、この蓋リング部材の上方に被さる上蓋部材と、前記蓋リング部材の上側に添え付ける補強板とを備え、前記補強板に、前記蓋リング部材の上面を部分的に露出させる空所を形成し、前記蓋リング部材に設けた調圧弁設置室を前記補強板の前記空所から上側に突き出し、前記調圧弁設置室と前記ヒータカバーの連通路を密封するパッキンを、該ヒータカバーと前記蓋リング部材との間に介在させた圧力式炊飯ジャーにおいて、前記上蓋部材の下端と、前記補強板の前記空所から露出する前記蓋リング部材の上端部分とに、上下に接する押し合い部を設け、最大加圧炊飯状態で、前記上蓋部材の押し合い部が前記蓋リング部材の押し合い部の上側変位に抵抗することにより、前記パッキンが前記蓋リング部材に接触する部分の上昇を軽減した構成を特徴とする。
【００１７】
すなわち、上蓋部材の下端と、蓋リング部材の上端部分とに、上下に接する押し合い部を設ければ、上蓋部材の押し合い部は、蓋リング部材の押し合い部の上側変位に対する抵抗部となる。その変形抵抗は、最大加圧炊飯状態で得られるため、どのような加圧値であっても有効である。
【００１８】
蓋リング部材の押し合い部は、補強板の空所から露出する上端部分にあり、上蓋部材の押し合い部による変形抵抗により、ヒータカバーにねじ止め用の孔を増やすこと無く、同露出部分が上側へ膨らむ変形を小さくすることができる。この影響により、その露出部分から突き出た調圧弁設置室とヒータカバーの連通路を密封するパッキンが蓋リング部材に接触する部分の上昇を軽減すれば、ひいてはパッキンが介在する蓋リング部材とヒータカバー間のすきまが拡大することを防止することができる。
【００１９】
したがって、この発明によれば、上記の歪蓄積によりパッキンのシール不良が生じることを、ヒータカバーにねじ止め用の孔を増やすこと無く防止することができる。
【００２０】
また、この発明によれば、ヒータカバーにねじ止め用の孔を増やす必要がないため、その分、ヒータカバーに電気ヒータを配設するためのスペースをより多く得ることができ、保温性能を向上させることができる。
【００２１】
上蓋部材と蓋リング部材の押し合い部を常時接する関係にしてもよいが、上蓋部材と蓋リング部材の結合、ヒータカバーの取り付け等の組み立てに厳密性が要求される。このため、組み立てを行なうときは、両押し合い部間の隙間を許容する方が作業性がよい。
【００２２】
上蓋部材と前記蓋リング部材の前記押し合い部を炊飯加熱中に常時接する関係にしてもよいが、非加圧炊飯時は、格別、前記蓋リング部材に内圧が負荷されず、熱膨張のみのため、前記上側への膨らみ変形の心配はない。このため、上記作業性を考慮すれば、両押し合い部間の隙間設定を大きくするべく、非加圧炊飯時も両押し合い部間の隙間を許容する方がよい。
【００２３】
前記上蓋部材と前記蓋リング部材の前記押し合い部が加圧炊飯状態でのみ上下に接するようにすれば、組み立て時における上記隙間を最も大きく設定でき、上記作業性を最もよくすることができる。
【００２４】
この発明のより具体的な構成としては、前記上蓋部材に、前記ヒータカバーに空いた蒸気路開口に連通する蒸気口部を一体に設け、前記上蓋部材の前記押し合い部を、前記蒸気口部の周側下端に形成することが好ましい。
【００２５】
上蓋部材の蒸気口部は、上蓋部材を部分的に下側に凹入させて形成される部分であり、蒸気口カバー、又は別体のおねば分離室を嵌めるために利用される。
【００２６】
上蓋部材の押し合い部を蒸気口部の周側下端に形成すれば、蒸気口部の周側の剛性を利用して、上側に膨らもうとする蓋リング部材の押し合い部を上蓋部材の押し合い部でしっかりと押さえることができる。
【００２７】
ここで、前記蓋リング部材に、前記蒸気路開口と上下に連通する貫通孔を形成し、前記補強板の前記空所を、前記貫通孔と上下に連通するように形成し、前記蓋リング部材のうち前記貫通孔と前記調圧弁設置室の間にある壁面に、該蓋リング部材の前記押し合い部を形成し、前記蒸気口部の下端に形成したねじ孔部と前記ヒータカバーとをねじ止めした構成とすれば、蒸気口部の接続口とヒータカバーの蒸気路開口とをねじ止めにより確実に接続することができ、その接続を利用して、蒸気口部の周側の剛性を利用して蓋リング部材の押し合い部をしっかりと押し合うことが可能な上蓋部材の押し合い部でよりしっかりと押さえることができる。
【００２８】
この発明は、最大炊飯容量が小さくなる程好適である。最大炊飯容量が小さくなる程、炊飯鍋が小さくなり、ひいてはヒータカバーも小さくなり、ヒータカバーの放熱面を確保し難くなるためである。
【発明の効果】
【００２９】
上述のように、この発明に係る圧力式炊飯ジャーは、上記構成の採用により、補強板の空所から露出する蓋リング部材の部分が上側に膨らむ歪蓄積によりパッキンのシール不良が生じることをヒータカバーにねじ止め用の孔を増やすこと無く防止すると共に、保温性能を向上させることができる。
【発明を実施するための最良の形態】
【００３０】
以下、この発明の実施形態に係る圧力式炊飯ジャーを添付図面に基づいて説明する。
【００３１】
図１、図２に示すように、実施形態に係る圧力式炊飯ジャーは、炊飯鍋１０を閉じる内蓋２０を下側に取り付ける蓋リング部材３０と、この蓋リング部材３０の上方に被さる上蓋部材４０と、蓋リング部材３０の下側に内蓋２０の上方に位置するように取り付けられるヒータカバー５０と、蓋リング部材３０の上側に添え付ける補強板６０とを備えている。なお、図１、図２中では、周知の構成が採用された器体肩部、胴部等の他の部分の図示を省略している。
【００３２】
蓋リング部材３０と上蓋部材４０は、それぞれ合成樹脂の一体射出成形されている。部品数削減のためである。蓋リング部材３０と上蓋部材４０の外周部が係合されることにより蓋の内部空間が形成される。その内部空間を利用して、調圧弁７０、弁体駆動装置８０、圧力センサ９０、蓋開閉操作機構等の各種の部品、機器が設置されている。なお、上蓋部材４０の上面は、化粧板で大部分が覆われているが、省略することもできる。
【００３３】
内蓋２０の外周部２１は、ヒータカバー５０の外周のさらに外側で蓋リング部材３０に組み込まれたロック装置により着脱可能に保持される。内蓋２０を着脱式とすることにより、内蓋２０を容易に清掃できるようにしている。ロック装置は、内蓋２０が未装着状態のときに蓋が閉まらないようにするために設けられている。なお、内蓋２０に内蓋パッキン２２を取り付けることに代えて、ヒータカバーに内蓋パッキンを取り付ける構成を採用するときは、内蓋２０を省略することもできる。
【００３４】
ヒータカバー５０は、金属板から形成されている。ヒータカバー５０の上面外周に沿って保護シートに覆われた電熱線（図示省略）が添え付けられている。保温時には、電熱線で加熱されたヒータカバー５０からの放熱により、ヒータカバー５０の下面に全面的に臨む内蓋２０が加熱され、その内蓋２０から炊飯鍋１０内に放熱される。
【００３５】
図３に示すように、ヒータカバー５０の外周に、上方に突き出た係合片５１ａ、５１ｃ〜５１ｇが周方向複数個所に形成されている。係合片５１ａ、５１ｃ〜５１ｇは、図４に示す蓋リング部材３０の孔３１ａ、３１ｃ〜３１ｇに下から挿入し、その孔から上方に突き出た部分を折り曲げて蓋リング部材３０の上端に掛けられる。これらの係合により、ヒータカバー５０が蓋リング部材３０に固定されると共に、ヒータカバー５０の外周が蓋リング部材３０から浮き上がることも防止されている。
【００３６】
なお、係合片５１ｂは、アース線接続用の係合片であり、通常、ヒータカバー５０の固定に利用されない。このため、係合片５１ｂの折り曲げは省略される。これにより作業効率が向上させられる。係合片５１ｂは、孔が空いており、ヒータカバー５０にアース線（図示省略）を接続する仕様に変更するときは、アース線の環状端子部をねじ止め、リベット止め等で固定することができ、予め横に折り曲げた状態でヒータカバー５０を蓋リング部材３０に取り付けると、端子接続部がヒータカバー５０と蓋リング部材３０の間に配置され、そのアース線を蓋リング部材３０の孔３１ｂから蓋リング部材３０の上方に導くことが可能になっている。
【００３７】
図１、図４に示すように、蓋リング部材３０の上面には、前後左右に交差する格子状のリブ構造部３２、３２が左右対称に形成されている。蓋のヒンジ軸回りの開閉時の負荷等に対する剛性を高めるためである。
【００３８】
補強板６０は、一枚のステンレス鋼板から形成され、左右両側のリブ構造部３２にねじ止めされるフランジ６１、６１を平板部６２で繋いだ形状になっている。フランジ６１、６１の後端部に、蓋ヒンジ軸を通す軸支持部６３、６３が形成され、フランジ６１、６１の前端部に、蓋開閉操作機構のフック回転軸を通す軸支持部６４、６４が形成されている。補強板６０の平板部６２に、蓋リング部材３０の上面を部分的に露出させる空所６５、６６、６７が形成されている。空所６５からは、調圧弁７０が内部に組込まれる調圧弁設置室１００、別の調圧弁が内部に組み込まれる別の調圧弁設置室１１０、弁体駆動装置８０等が上側に突き出している。なお、アース線接続に未使用の係合片５１ｂは、孔３１ｂから平板部６２の空所６８に挿通される。
【００３９】
調圧弁設置室１００、１１０は、炊飯鍋１０内から外部に連通する蒸気路１２０の一部を構成している。蒸気路１２０の一部は、蓋リング部材３０及びヒータカバー５０と内蓋２０との間に通されている。蒸気路１２０は、図１、図３に示すように、ヒータカバー５０に空いた蒸気路開口５２に連通している。図１、図４に示すように、蓋リング部材３０に、蒸気路開口５２と上下に連通するように貫通孔３３が形成されている。貫通孔３３は、補強板６０の空所６５と上下に連通している。蒸気路開口５２は、図１、図５に示すように、貫通孔３３及び補強板６０の空所６５より下側に突き出すように入り込んだ蒸気口部４１に連通している。蒸気口部４１は、上蓋部材４０に一体に設けられており、蒸気口カバー（図示省略）と共におねば分離室を形成するおねば溜り部になっている。
【００４０】
図４、図６に示すように、調圧弁設置室１００、１１０の室壁の大部分は、それぞれ蓋リング部材３０と一体に設けられている。部品数削減のためである。調圧弁設置室１００、１１０の室内空間は、蓋リング部材３０の上側に大きく確保されている。内蓋２０の清掃性を考慮し、内蓋２０の板面を平面状に可及的に近づけるためである。図２、図６に示すように、調圧弁設置室１００、１１０の室壁の一部は、蓋リング部材３０に取り付けられた弾性シール部材１０１、１１１から構成されている。
【００４１】
調圧弁７０と別の調圧弁のうち、一方は、安全弁とされ、他方は、安全弁の開弁圧力より低圧条件下で最大加圧炊飯状態を生じさせ得る加圧炊飯用の調理制御弁とされている。調圧弁設置室１００、１１０内にある弁体は、炊飯鍋１０内に連通する弁孔を開閉するものであり、室外に設置された弁体駆動装置８０、別の弁体駆動装置の駆動部により弾性シール部材１０１、１１１を介して開閉動作が制御される。この制御は、開閉２段階の切換を基本内容とし、調理制御弁については、適宜に開閉度合いの多段階制御が追加される。この制御により、調理制御弁は、炊飯工程の途中で炊飯鍋１０内に加圧炊飯状態を生じさせ、その圧力値を所定の値に制御することが可能になっている。調圧弁７０等が開弁状態では、炊飯鍋１０内で発生した蒸気が、調圧弁７０等の弁孔、蒸気路１２０、蒸気路開口５２を経て蒸気口部４１に流入し、やがて蒸気口カバーに空いた蒸気孔を経て大気に開放される。
【００４２】
なお、調圧弁７０等は、室外から弁体の開閉動作を制御することが可能であれば弁形式を問わず、例えば、調圧弁設置室１００内に組み込まれる調圧弁７０は、ボール弁体７１の自重で弁孔７２を塞ぐボール弁からなり、ボール弁体７１が弁座７３と弁室部材７４とで弁座７３上から外れないように位置決めされた構成になっている。
【００４３】
蓋リング部材３０の下端と、ヒータカバー５０との間には、図２、図３、図５に示すように、調圧弁設置室１００に形成された下向き開放の弁組み込み口とヒータカバー５０の接続口５３との間、蒸気口部４１と蒸気路開口５２との間等に連通路が生じている。これら連通路は、図２、図５、図６に示すように、蒸気路１２０からヒータカバー５０と蓋リング部材３０間に蒸気が浸入しないようにするため、蓋リング部材３０の下端とヒータカバー５０の上端間に介在させたパッキン１３０、１４０、１５０等で密封されている。パッキン１３０、１４０、１５０等は、蓋リング部材３０の下端に嵌着されている。パッキン１３０、１４０、１５０等が介在するすきまは、パッキンシール面をヒータカバー５０の上端に形成されたシール面に押し付けるため、上下方向の圧縮代をもつ寸法に設定されている。
【００４４】
なお、ヒータカバー５０は、一般に、ねじ止めによる固定強化が実施されている。この実施形態においては、図２、図６、図７に示すように、上蓋部材４０の蒸気口部４１の内底面を形成する下板４２からねじ孔４３、４３を下側に突き出し、それらねじ孔４３、４３を用いてヒータカバー５０の後部をねじ止めしている。これら２箇所のねじ止めは、下板４２に形成された接続口４４と蒸気路開口５２がパッキン１５０を介して連通する部分の左右両側で実施されている。ヒータカバー５０の固定用ねじを利用してパッキン１５０の確実な圧縮を得るためである。
【００４５】
図２、図５、図６、図７に示すように、上蓋部材４０の下端と、補強板６０の空所６５から露出する蓋リング部材３０の上端部分とに、加圧炊飯状態でのみ上下に接する押し合い部４５、４５・・・、３４が設けられている。これらは、それぞれ上蓋部材４０、蓋リング部材３０と一体に設けられている。部品数削減のためである。
【００４６】
上蓋部材４０の押し合い部４５、４５・・・は、蒸気口部４１の周側４６の下端に形成されている。周側４６の前壁部は、概ね上下方向に形成されている。押し合い部４５、４５・・・の上下方向の剛性を可及的に高めるためである。
【００４７】
蓋リング部材３０の押し合い部３４は、前記貫通孔３３と調圧弁設置室１００、１１０の間にある壁面に形成されている。調圧弁設置室１００、１１０とヒータカバー５０との連通路を密封するパッキン１３０、１４０の上方近傍に押し合い部４５、４５・・・を接触させるためである。
【００４８】
上蓋部材４０と蓋リング部材３０の押し合い部４５、４５・・・、３４は、図５中に実線で明示するように、室温（２０℃）下で組み立てるとき、上下に非接触の関係に設定されている。これにより、上蓋部材４０、蓋リング部材３０の組み立て時において、両押し合い部４５、４５・・・、３４の上下の突き当りが防止され、その結果、組み立て精度が緩和されている。
【００４９】
最大加圧炊飯状態においては、上蓋部材４０の押し合い部４５、４５・・・は、図５中に二点鎖線Ａで誇張して示すように、蓋リング部材３０の押し合い部３４の上側変位に抵抗する。なお、図５中に、押し合い部４５、４５・・・が無いと仮定したとき、最大加圧炊飯状態で押し合い部３４付近が生じる変形の様子を二点鎖線Ｂで誇張して示す。二点鎖線Ａと二点鎖線Ｂの差の分だけ、最大加圧炊飯時において、上蓋部材４０の押し合い部４５、４５・・・による蓋リング部材３０の露出部分の上側変位が減少している。この実施形態では、その部分の下端にパッキン１３０、１４０が嵌着、すなわちパッキン１３０、１４０が蓋リング部材３０に接触している。
【００５０】
上記構成を有する実施形態に係る圧力式炊飯ジャーによれば、上蓋部材４０の押し合い部４５、４５・・・が、補強板６０の空所６５から露出する蓋リング部材３０の上端部分に形成された押し合い部３４の上側変位に抵抗することにより、加圧炊飯の都度、蓋リング部材３０のパッキン１３０、１４０の近傍において蓋リング部材３０のパッキン嵌着部分の上昇量が減少する。その結果、加圧炊飯が日々繰り返されるとしても、パッキン１３０、１４０が介在する蓋リング部材３０とヒータカバー５０間のすきまが拡大する歪が蓄積されることも防止される。したがって、実施形態に係る圧力式炊飯ジャーは、合成樹脂製の蓋リング部材３０の歪蓄積によりパッキン１３０、１４０のシール不良が生じることを、ヒータカバー５０にねじ止め用の孔を増やすこと無く防止することができる。
【００５１】
さらに、実施形態に係る圧力式炊飯ジャーは、ヒータカバー５０にねじ止め用の孔を増やす必要がないため、その分、ヒータの配置スペースを多く得ることができ、保温性能を向上させることができる。
【００５２】
また、実施形態に係る圧力式炊飯ジャーは、蒸気口部４１の周側４６の剛性を利用して上蓋部材４０の押し合い部４５、４５・・・の上昇が防止されるので、上側に膨らもうとする蓋リング部材３０の押し合い部３４を上蓋部材４０の押し合い部４５、４５・・・でしっかりと押さえることができる。
【００５３】
また、実施形態に係る圧力式炊飯ジャーは、上蓋部材４０の蒸気口部４１と一体の押し合い部４５、４５・・・と蓋リング部材３０の押し合い部３４が上下に押し合っても、蒸気口部４１の下板４２におけるねじ止めのねじ締結力により、両押し合い部４５、４５・・・、３４の上下方向の逃げを防ぎ、より高い押し合い強度を得ることができる。
【００５４】
なお、上蓋部材４０と蓋リング部材３０の押し合い部４５、４５・・・、３４で上記の経年変形を防止するとしても、ヒータカバー５０と蓋リング部材３０のねじ止めを併用することも可能である。
【００５５】
例えば、この実施形態では、図１、図２、図５に示すように、弁体駆動装置８０があるため、その付近で上蓋部材４０と蓋リング部材３０の押し合い部を設定することができない。そこで、ヒータカバー５０は、パッキン１３０より前側において、蓋リング部材３０にねじ止めされている。これにより、ヒータカバー５０と蓋リング部材３０を一箇所のねじ止めに留めながら、パッキン１３０、１４０の前側において経年変形が生じたとしても、ねじ止め部１６０のねじ締結力によりヒータカバー５０を引っ張ることによりパッキン１３０、１４０の前側ですきまが拡大することを確実に防止している。ねじ止め部１６０は、一箇所であっても、左右に並ぶ調圧弁設置室１００、１１０に対応して左右両側に配置された両パッキン１３０、１４０の前側にあり、それぞれにバランスよく効かすことができる。
【００５６】
仮に、パッキン１３０より前側において、上蓋部材４０と蓋リング部材３０の押し合い部を設定することが可能であったとしても、一般に、ねじ止め部１６０を設けることにより、ヒータカバー５０の前部を確実に固定することが好ましい。
【図面の簡単な説明】
【００５７】
【図１】実施形態に係る圧力式炊飯ジャーの蓋リング部材上に各種部品を取り付けた状態を上方から示す要部組み立て図
【図２】実施形態に係る圧力式炊飯ジャーの要部を図１中のＩＩ−ＩＩ線の切断面で示す縦断側面図
【図３】図２のヒータカバーを前方斜め上方から示す斜視図
【図４】図２の蓋リング部材と補強板を示す分解斜視図
【図５】図１中のＶ−Ｖ線の切断面を示す部分拡大縦断側面図
【図６】図２の蓋を上蓋部材を外した状態で後方斜め上方から示す分解斜視図
【図７】図６の上蓋部材を前方斜め下方から示す斜視図
【符号の説明】
【００５８】
１０  炊飯鍋
２０  内蓋
２１  外周部
２２  内蓋パッキン
３０  蓋リング部材
３１ａ〜３１ｇ  孔
３２  リブ構造部
３３  貫通孔
３４、４５  押し合い部
４０  上蓋部材
４１  蒸気口部
４２  下板
４３  ねじ孔
４４  接続口
４６  周側
５０  ヒータカバー
５１ａ〜５１ｇ  係合片
５２  蒸気路開口
５３  接続口
６０  補強板
６１  フランジ
６２  平板部
６３、６４  軸支持部
６５、６６、６７、６８  空所
７０  調圧弁
７１  ボール弁体
７２  弁孔
７３  弁座
７４  弁室部材
８０  弁体駆動装置
９０  圧力センサ
１００、１１０  調圧弁設置室
１０１、１１１  弾性シール部材
１２０  蒸気路
１３０、１４０、１５０  パッキン
１６０  ねじ止め部
【図１】
0004964746.tif 000002
【図２】
0004964746.tif 000003
【図３】
0004964746.tif 000004
【図４】
0004964746.tif 000005
【図５】
0004964746.tif 000006
【図６】
0004964746.tif 000007
【図７】
0004964746.tif 000008